(57)【要約】【課題】多様な組織の階層と、多様な側面の階層における環境情報を集計分析することのできるシステムを提供すること、及び、一つの側面を異なる管理目的に対応した複数の側面に集計分析することのできるシステムを提供すること。【解決手段】全組織をつなぐネットワークに接続されたサーバコンピュータ１００上に、側面階層定義データベース１０１，側面階層定義インタフェース１０２，組織階層定義データベース１０３，組織階層定義インタフェース１０４，側面データベース１０５，集計処理部１０６，側面階層データ表示インタフェース１０７，組織階層データ表示インタフェース１０８を備える。【選択図】　図１
2004062471.tif 000002
【特許請求の範囲】
【請求項１】
ネットワークに接続されたサーバコンピュータ上に、側面階層定義データベース，側面階層定義インタフェース，組織階層定義データベース，組織階層定義インタフェース，側面データベース，集計処理部，側面階層データ表示インタフェース，組織階層データ表示インタフェースを備え、前記側面階層定義データベースには、側面のユニークな識別子，名称，単位が記載されるフィールド、および階層間の親子関係と子から親へ加算する際の倍率が記載されるフィールドよりなるレコードを格納してあることを特徴とする環境情報集計分析システム。
【請求項２】
請求項１において、前記側面階層定義インタフェースとして、側面の名称と単位を記載した行と、側面の親子関係と換算倍率を記載した行よりなるテキストファイルを端末からアップロードすることにより、サーバコンピュータ上の前記側面階層定義データベースにレコードを生成し格納することを特徴とする環境情報集計分析システム。
【請求項３】
請求項１において、前記側面階層定義インタフェースとして、側面間の階層構造ネットワークにループができるような定義を回避する機能を有する環境情報集計分析システム。
【請求項４】
請求項１において、前記側面階層データ表示インタフェースが、ある側面の内訳となる下位側面数値を表示する際に、各々の下位側面の登録された数値（換算前の数値）と、倍率を掛けて上位側面に加算する前の数値（換算後の数値）を併記して表示することを特徴とする環境情報集計分析システム。
【請求項５】
ネットワークに接続されたサーバコンピュータ上に、収集項目の階層構造を定義するデータベースとインタフェース，組織の階層構造を定義するデータベースとインタフェース，収集項目の数値データベース，集計処理部，収集項目の階層構造を表示するインタフェース，組織項目の階層データを表示するインタフェースを備えたことを特徴とする環境情報集計分析システム。
【請求項６】
請求項１又は請求項２において、前記側面階層定義インタフェースとして、側面の名称と単位を記載した行と、側面の親子関係と換算倍率を記載した行よりなるテキストファイルに、環境側面情報を貨幣コストや価値に換算する環境会計の手法を定義することを特徴とする環境情報集計分析システム。
【発明の詳細な説明】
【０００１】
【発明の属する技術分野】
本発明は、環境情報集計分析システムに係り、特に、大規模な企業グループのように、複雑な組織階層を抱える組織体が、環境マネジメント，環境会計，化学物質管理などの業務に関する情報をコンピュータネットワークを用いて末端から収集し、一元管理するとともに分析するための環境情報集計分析システムに関する。
【０００２】
【従来の技術】
ここでいう環境情報とは、ＩＳＯ１４００１で定義するところの環境側面に関する情報である。すなわち、「環境に影響を及ぼしうる組織の製品／活動／サービスの要素」であり、さらに「環境」という言葉には、人体への影響、すなわち職場の労働安全衛生環境も含んでいる。
【０００３】
このような環境情報は、多義にわたっており、化学物質の使用／廃棄／貯蔵量や、周囲の住民のクレームの数や、環境交流イベントの費用や、出荷製品のリサイクル率や、労働災害の発生確率など実に様々である。これらは、名称も多様であるだけでなく、単位も多様である。
【０００４】
従来の技術としては、特開平１０−１２４５８７号公報に示されていように、これらの環境側面の名称と単位をデータベースのレコードとして定義し、企業組織内の現場より各々の実績値を入力し、その名称と単位において、上位組織で集計するものがある。
【０００５】
【発明が解決しようとする課題】
一方で、この環境情報を必要とする組織の規模についてみると、従来では「サイト」として限定される規模の事業場がほとんどであったが、最近では大規模な企業グループのように、数百の企業、さらにその下の数十の事業場を抱え、事業分野や地域によって分類される複雑な組織階層を有する大規模組織体が環境マネジメントや労働安全衛生や環境会計を統括的に管理する傾向が発生している。しかし、実際に運用する単位は従来のサイト単位であることがほとんどであり、全体を統括管理しながらも、各々の組織独自の運用方法は従来のままというやりかたが望まれている。
【０００６】
上記従来の技術をこの統括的運用に適用しようとすると、新たな課題が発生する。すなわち、側面の名称や単位が異なる下位組織の情報を上位組織と共存させなければならないことである。次のような例を考えるとわかりやすい。ある製造業Ｃ社は、自動車部品を製造しており、ＩＳＯ１４００１（環境マネジメントシステム）の登録を継続中である。環境側面の一部として、重油の使用量（ｍ３）、ＬＰＧの使用量（Ｌ）電力の使用量（ｋｗｈ）およびＰＦＣの排出量（ｋｇ）を記録している。ところがこのＣ社が、ある年にＢ社に吸収合併され、Ｂ社グループの一員としてＩＳＯ１４００１の認証審査を受けることになった。Ｂ社グループとしては、環境側面の定義に化石燃料の使用量（ｋｇ）と電力使用量（ｋｗｈ）を掲げており、Ｃ社はこれに合わせた報告もしなければならなくなった。Ｃ社は、重油とＬＰＧの使用量を合わせ、単位もｋｇに変更して、Ｂ社の環境側面の項目「化石燃料の使用量」を算出して報告しなければならないことになる。さらに、次の年にこのＢ社がグローバル企業のＡ社に吸収合併されたと想定しよう。Ａ社グループでは、環境側面の定義に地球温暖化指数（ＣＯ２　−ｋｇ）を用いることになっており、各部署ごとにＣＯ２　の数値を本社に提出し、毎年その合計数値によって運用していた。この場合、Ｃ社は、重油，電力，ＬＰＧ，ＰＦＣの使用量のすべてを地球温暖化指数に捉えなおして、Ａ社に提出しなければならなくなる。逆にＡ社側から地球温暖化指数（ＣＯ２　−ｋｇ）のトータル数値の分析したときには、その内訳としてＢ社の環境側面が、さらにその内訳としてＣ社の環境側面が明確に表現されていなければならない。これらは各々の組織内部での運用には不可欠な情報だからである。
【０００７】
他の課題は、管理目的の相違により一つの側面が複数の異なる方法で集計し、内訳が分析されなければならないことである。たとえばトリクロロエチレンを使用しているという側面は、環境側面としては「健康障害を生ずるおそれのある要素」として捉えることができるが、この場合は、毒性の強さを評価集計することになる。一方では、「引火性の液体」として捉えることもでき、この場合は火災の危険性を評価集計することになる。両者の集計では単位も換算の方法も別のものとならなければならない。あるいは、環境会計の視点で捉えると、廃液の処理コストに換算することになる。しかも単に換算数値を出すだけではなく、その内訳として換算前の名称と数値を表現できることも必要である。さらに重要なことは、このような様々な側面の換算からなる階層構成（ネットワーク構成）をどのように定義していくかが、環境管理，環境会計，安全管理、などの業務の重要なノウハウとなるが、このノウハウをデータとして定義し、記憶装置に格納したり、流通させる術が求められている。
【０００８】
本発明の目的は、上記した従来技術の状況に鑑み、多様な組織の階層と、多様な側面の階層における環境情報を集計分析することのできるシステムを提供することにある。本発明の他の目的は、一つの側面を異なる管理目的に対応した複数の側面に集計分析することのできるシステムを提供することにある。
【０００９】
【課題を解決するための手段】
上記目的は、特許請求の範囲に記載の構成によって達成される。
【００１０】
上記目的を達成する、より具体的な本発明の環境情報集計分析システムの一例としては、全組織をつなぐネットワークに接続されたサーバコンピュータ上に、側面階層定義データベース，側面階層定義インタフェース，組織階層定義データベース，組織階層定義インタフェース，側面データベース，集計処理部，側面階層データ表示インタフェース，組織階層データ表示インタフェースを備える。
【００１１】
側面階層定義データベースは、異なる複数の側面間の階層関係を定義する情報を格納するデータベースである。側面階層はループのないネットワーク構造として自由に定義し得るが、側面のユニークな識別子，名称，単位が記載されるフィールド、および階層間の親子関係と子から親へ加算する際の倍率が記載されるフィールドよりなるレコードを格納してある。以降、下位側面を有する側面を上位側面，下位組織のない側面を末端側面と呼ぶことにする。
【００１２】
側面階層定義インタフェースは前記側面階層データを収納するためのインタフェースである。側面の名称と単位を記載した行と、側面の親子関係と倍率を記載した行よりなるテキストファイルを端末からアップロードすることにより、サーバコンピュータ上の側面階層定義データベースにレコードを生成し格納する。
【００１３】
組織階層定義データベースは、異なる複数の組織間の階層関係を定義する情報を格納するデータベースである。組織階層はループのないネットワーク構造として自由に定義し得るが、組織のユニークな識別子，名称，階層間の親子関係を表すフィールドよりなるレコードを格納してある。以降、下位組織を有する組織を上位組織，下位組織のない組織を末端組織と呼ぶことにする。
【００１４】
組織階層定義インタフェースは前記組織階層データを収納するためのインタフェースである。組織の名称を記載した行と、組織の親子関係を記載した行よりなるテキストファイルを端末からアップロードすることにより、サーバコンピュータ上の組織階層定義データベースにレコードを生成し格納する。
【００１５】
側面データベースは、側面データを格納する。側面とは固有の識別子を有し、名称と単位によって定義されるもので、データのカテゴリーのような役割を果たす。たとえば、「引火性液体の貯蔵」という名称と「ｋｇ」という単位を有する。これに対し側面データとは、ある側面の数値情報を外部から入力したもの、またはシステム内部で集計したものであり、側面の識別子，数値，日付，組織の識別子より構成される。
【００１６】
集計処理部は、側面階層と組織階層に沿った側面データの集計を実施する。その結果、上位組織のある側面データは（複数の）下位組織の和となっている。上位側面の側面データは（複数の）下位側面の重み付き和に加えて、直接その側面名称で入力された数値を足し算したものとなっている。
【００１７】
側面階層データ表示インタフェースは、本システムをネットワークを介して利用するユーザのための機能を提供する。ユーザは任意の側面の数値を見ることができ、さらにその内訳となる下位側面の数値を逆にたどることができる。このように側面階層のトリーを自在に上下しながら、その都度、集計された数値情報を表示することができる。
【００１８】
組織階層データ表示インタフェースは、本システムをネットワークを介して利用するユーザのための機能を提供する。ユーザは任意の組織の側面の数値を見ることができ、さらにその内訳となる下位組織の側面の数値を逆にたどることができる。このように組織階層のトリーを自在に上下しながら、その都度、集計された数値情報を表示することができる。
【００１９】
【発明の実施の形態】
以下、図面を用いて本発明の実施例を説明する。
【００２０】
図１に本発明の実施の形態である環境情報集計分析システムの構成図を示す。この環境情報集計分析システムはサーバコンピュータ１００に収納され、側面階層定義データベース１０１，側面階層定義インタフェース１０２，組織階層定義データベース１０３，組織階層定義インタフェース１０４，側面データベース
１０５，集計処理部１０６，側面階層データ表示インタフェース１０７，組織階層データ表示インタフェース１０８を備え、原則として全組織がアクセスできる広域ネットワーク１０９を介して、組織全体の統括管理部署１１１および各組織内部の管理部署１１２のユーザが利用する。
【００２１】
同図右上に例示されている「温暖化効果」，「ＣＯ２　排出」，「ＰＦＣ排出」，「化石燃料消費」，「電力使用」，「重油使用」，「ＬＮＧ使用」などが環境側面の典型的な表現であるが、様々な相互関連がある。たとえば、電力使用量１ｋｗｈ　はＣＯ２を０．４ｋｇ大気中に排出したことと同等である。また重油を１ｋｇ燃焼させた場合は３．２ｋｇ、ＬＮＧを１立方メータ燃焼させた場合は２．０ｋｇに各々相当する。従って、電気と重油とＬＮＧを幾らかずつ消費した工場におけるＣＯ２　の総排出量はそれぞれの使用量にこれらの重みを付けた和に相当する。一方、地球温暖化を考えると、ＣＯ２　だけが原因ではなく、たとえば半導体プロセスなどで使われるＰＦＣというガスは、大気に放出されるとＣＯ２　の６５００倍という大きな温暖化効果を発揮する。従って、温暖化という側面ではＣＯ２　だけでなくＰＦＣ排出量との重み付きの和を考慮しなければならない。一方では、資源枯渇という視点も見逃せない。地球上に化石燃料は限られており、重油やＬＮＧを使用することは、化石燃料の消費という側面にもつながる。側面階層定義データベース１０１は、このような側面間の階層関係をデータとして格納している。
【００２２】
側面階層定義インタフェース１０２は前記側面階層データを統括管理部署ユーザ１１１からの入力に基づいて収納するためのインタフェースである。側面の名称と単位を記載した行と、側面の親子関係と倍率を記載した行よりなるテキストファイル１１０を端末からアップロードすることにより、サーバコンピュータ上の側面階層定義データベースにレコードを生成し格納する。
【００２３】
組織階層定義データベース１０３は、異なる複数の組織間の階層関係を定義する情報を格納するデータベースである。
【００２４】
組織階層定義インタフェース１０４は前記組織階層データを収納するためのインタフェースである。組織の名称を記載した行と、組織の親子関係を記載した行よりなるテキストファイル１１０を端末からアップロードすることにより、サーバコンピュータ上の組織階層定義データベースにレコードを生成し格納する。
【００２５】
側面データベース１０５は、側面データを格納する。側面データとは、ある側面の数値情報を外部から入力したもの、またはシステム内部で集計したものであり、側面の識別子，数値，日付，組織の識別子より構成される。
【００２６】
集計処理部１０６は、側面階層と組織階層に沿った側面データの集計を実施する。その結果、上位組織のある側面データは（複数の）下位組織の和となっている。上位側面の側面データは（複数の）下位側面の重み付き和に加えて、直接その側面名称で入力された数値を足し算したものとなっている。
【００２７】
側面階層データ表示インタフェース１０７は、本システムをネットワーク１０９を介して利用するユーザ１１２のための機能を提供する。ユーザ１１２は任意の側面の数値を見ることができ、さらにその内訳となる下位側面の数値を逆にたどることができる。このように側面階層のトリーを自在に上下しながら、その都度、集計された数値情報を表示することができる。
【００２８】
組織階層データ表示インタフェース１０８は、本システムをネットワーク１０９を介して利用するユーザ１１２のための機能を提供する。ユーザ１１２は任意の組織の側面の数値を見ることができ、さらにその内訳となる下位組織の側面の数値を逆にたどることができる。このように組織階層のトリーを自在に上下しながら、その都度、集計された数値情報を表示することができる。
【００２９】
図２には側面階層定義データベース１０１の構成を示した。側面識別子，名称，単位をフィールドとするテーブル２０１と、側面間の階層関係を定義する親識別子，子識別子および子から親へ加算する際の倍率をフィールドとするテーブル２０２を有する。同図の例では電力使用の数値を１倍して加算することで化石燃料の使用の数値が評価され、電力の使用の数値を０．４　倍したものとＬＮＧ使用を２．０　倍したものが各々加わってＣＯ２　排出の数値が評価される。このように、複雑な側面間の親子関係でも複数のレコードの集まりとして定義していくことができる。
【００３０】
図３には側面階層定義インタフェース１０２が読み込むテキストファイルの形式を記載したものである。図２のレコード形式と全く同様の並び方で、カンマ区切りのファイル（ＣＳＶ形式）で作成されたファイル（３０１，３０２）ならば、ユーザの端末からネットワーク経由でアップロードすることができる。その結果、図２のレコードが生成される。既にデータベースに設定されている階層定義情報に上書きまたは変更を加えるファイルの読み込みについては、自由にはできないよう、側面階層定義インタフェース１０２が保護する。また、異なる名称で同一の識別子が存在する場合や、同一の識別子で名称が異なる場合、階層ネットワークにループが存在する場合（後述）などについては、エラーチェックを行い、エラーを画面上に表示し、エラーがすべて解消された場合のみデータベースへの反映を行う。
【００３１】
このような定義ファイルは環境管理の基本的なノウハウとして捉えることができる。すなわち環境管理の目的に合わせて、いかに収集可能情報（末端側面）を管理情報（上位側面）に変換して分析していくかという具体的なアルゴリズムを定義したファイルと考えることができる。従って、これを付加価値として、この定義ファイルを独立した商品として流通させるビジネスモデルも成り立ちうる。例えば、環境側面情報を貨幣コストや価値に換算して分析する環境会計の手法も、この形式のファイルによって定義可能である。
【００３２】
図４には、側面階層定義インタフェース１０２が画面のグラフィカルユーザインタフェースを用いて側面の階層定義情報を設定する画面を示した。同図の上方に示した側面間のトリー構造を定義することを想定する。画面上では、下図のようにトリー構造が画面左側の分割領域に表示される。ここでは、Ａ，Ｃ，Ｂ，Ｅの側面までの定義情報は既に設定されており、次にＦを設定する場面である。まず親となる側面（ここではＢ側面）をクリックすると、その側面が選択されて白黒反転表示になる。次に右側に「下位側面追加画面」を表示させ、その画面にある「新規追加」のボタンをクリックすると、名称および単位の入力ボックスが出てくる。そこで名称を入力し、さらに単位を入力する。単位の入力はあらかじめ設定されている単位から選択する方式である。ここで新規追加定義を行うと、側面識別子は既存の識別子と重複しないコードを側面階層定義インタフェース１０２自動的に割り当ててデータベース１０１に登録する。ユーザは画面上では名称のみが識別の手がかりであることから、新規登録の場合、既登録の側面と名称が重複することは許されない。紛らわしいので、半角／全角／大文字／小文字の違いも無視して重複チェックを行う。
【００３３】
図５には、側面階層定義インタフェース１０２が画面のグラフィカルユーザインタフェースを用いて側面の階層定義情報を設定する際に、階層ネットワーク構造のループをチェックする機能を画面を用いて例示したものである。同図の上方に示した側面間のトリー構造が既に定義されているものとする。すると下図のような画面が表示される。この画面において「Ａ側面」を選択して「選択追加」ボタンを押すと、既存の側面をＡ側面の子供としてリンクする側面の選択画面が、プルダウン形式で現れる。このプルダウンメニューには、選択されてもループを作ることのない側面のみが現れるようになっている。同図の例では、Ｇ，Ｈ，Ｉの３つの側面のみが表示されているが、これは他の側面を選択するとループになり、側面の集計結果がダブルカウントされてしまうからである。たとえば、Ｆ側面をＡ側面の下にリンクしたとすると、Ｆ→Ｅ→Ａというルートと、Ｆ→Ｄ→Ａというルートの両方が存在してループを作る。すると、Ａ側面の集計結果にＦ側面の数値が二重に反映されることになってしまう。これをさけるために、あらかじめ選択リストからＦ側面を除外しているのである。
【００３４】
図６には、組織階層定義データベース１０３の構成を示した。組織識別子，名称をフィールドとするテーブル６０１と、組織間の階層関係を定義する親識別子、子識別子をフィールドとするテーブル６０２と、組織識別子、その組織が管理対象とする側面識別子をフィールドとするテーブル６０３を有する。
【００３５】
図７には、組織階層定義インタフェース１０４が読み込むテキストファイルの形式を記載したものである。図６のレコード形式と全く同様の並び方で、カンマ区切りのファイル（ＣＳＶ形式）で作成されたファイル（７０１〜７０３）ならば、ユーザの端末からネットワーク経由でアップロードすることができる。その結果、図６のレコードが生成される。既にデータベースに設定されている階層定義情報に上書きまたは変更を加えるファイルの読み込みについては、自由にはできないよう、組織階層定義インタフェース１０４が保護する。また、異なる名称で同一の識別子が存在する場合や、同一の識別子で名称が異なる場合、階層ネットワークにループが存在する場合などについては、エラーチェックを行い、エラーを画面上に表示し、エラーがすべて解消された場合のみデータベースへの反映を行う。
【００３６】
図８には、側面データベース１０５のデータ構成を示した。側面データは、各々の側面の実際の数値を記録したものである。各々の側面識別子に対して、まずその側面の数値を登録する組織識別子が記録される。次に日付と数値が記録される。側面の数値を新たに登録できる組織は末端組織に限られる。上位組織の側面の数値は下位組織の側面が集計されることで自動的に導かれるからである。
【００３７】
図９には、集計処理部１０６の処理フローを示した。まず集計する対象となる日付の範囲を設定する（９ａ）。この設定は統括管理部署や各組織の管理部署ユーザからなされる。側面データベース１０５のデータレコード群から、この日付に該当するレコードを対象として以下の集計処理を実施する。まず末端組織を対象とし、その組織の管理対象となる側面を側面階層に沿って集計する（９ｂ）、次に各々の側面について上位組織への集計を行う（９ｃ）。これは側面階層に沿って下位から上位へ順次集計していくものである。
【００３８】
図１０を用いて、前記の９ｂおよび９ｃの集計処理の方法を詳しく説明する。同図左上に示す組織階層および右上に示す側面階層を一例として想定する。ここでは、説明の便宜のために、側面の集計はすべて加算によるものと想定する。すなわち、下位側面の重み付きの和が上位側面に、下位組織の側面数値の和が上位組織の側面数値となるものとする。
【００３９】
さて、同図下のマトリクスは、縦方向に組織の階層を示し、太線で囲まれた部分が末端組織である。一方、横方向は側面の階層を示し、太枠で囲まれた部分が末端側面である。まず、９ｂの処理においては、末端組織のみが対象となる。そこで、一番下の組織３−２の行から始める。この行において、一番右側端が末端側面ｃ−２に該当する。ここに数字の１が入っているのは、１が数値として登録されたことを意味する。同じ行で一つ左の側面ｃ−２に関しては、２が登録されているので、その和が上位側面のｂ−１として集計されるはずである。そこで同じ行の側面ｂ−１の欄を見ると、
（２）＋（１）＋５＝（８）
と式が書かれている。この式で、括弧がついた数字は集計対象の数値または結果を示し、括弧がついていないものは直接登録された数値を示す。すなわち、側面ｂ−１として直接登録された数値５に加えて、下位側面ｃ−１とｃ−２の値である各々、２と１の三者を加えて、集計結果として８を求めたことを意味している。一般的には、
（上位側面の数値）＝（下位側面の数値の合計）＋直接登録された数値
という計算式に従う。同様に末端側面ｂ−２の登録値３が、上位側面ａの集計に反映されている。同じ行の側面ａの欄を見ると、
（８）＋（３）＝（１１）
と書かれている。側面ａの集計においては、直接登録された値はなく、下位側面ｂ−１の値である（８）と、下位側面ｂ−２の値である３が加算され集計結果は１１として求められている。このようにして、すべての末端組織において、その行において同じ操作が行われる。すなわち右側から左側に側面階層に沿って合計がとられる。組織３−１の行，組織２−１の行もまったく同様である。以上が
９ｂの処理の説明である。
【００４０】
次に、処理９ｃでは、組織階層に沿って下から上に積み上げる。最初の列の側面ａについていえば、組織３−２の数値１１と、組織３−１の数値１４を加えたものが上位組織である組織２−２の数値２５になる。さらにこの数値と組織２−１の数値１５を足して上位組織１の数値４０を得る。このように組織については、機械的に下位組織の数値を集計して上位組織の数値としていくことを、各々の列（側面）に対して下から上に順次行う。以上が９ｃの処理の説明である。
【００４１】
図１１は側面階層データ表示インタフェース１０７の画面実施例を示したものである。側面階層ツリー表示が左半分に示されており、その中で、例えば「温室効果ガス排出量」を見ると、その下位階層としてＣＯ２　排出量，ＣＨ４　排出量，Ｎ２Ｏ　排出量，ＨＦＣｓ排出量，ＰＦＣｓ排出量，ＳＦ６　排出量が定義されている。「温室効果ガス排出量」を選択すると右側の画面にはトータル数値１２００００ｋｇが表示されているだけでなく、その内訳となる下位の側面の数値が示されている。この内訳側面の表情方法としては、その側面の元々の数値（例えばＣＨ４　排出量の１０ｋｇ）と併記して、上位の側面に換算された結果の数値（例えばＣＨ４　排出量の２００ｋｇ）が表示されていることが特徴である。
【００４２】
図１２は前図でさらに「ＣＯ２　排出量」を下位に展開した側面階層ツリーを示している。同様にトータル数値１１９０００だけでなく、その内訳となる都市ガス使用量，ＬＰＧ使用量，重油使用量，軽油使用量，石炭使用量，石灰石使用量，産業廃棄物焼却量，熱使用量などの数値が各々の単位で示されており、これを換算してＣＯ２　ｋｇに統一したものが併記されている。換算結果の合計が１１９０００ｋｇに一致している。
【００４３】
図１３は組織階層データ表示インタフェース１０８の画面実施例を示したものである。組織階層ツリー表示が左半分に示されており、その中で、環境本部の下位（所轄している）の関東地区を選択すると、右側に選択された側面（温室効果ガス排出量）の合計値１０３００００ｋｇと、その下位組織の内訳として東京事業所，千葉事業所，群馬事業所，△△△会社などの内訳が示されている。
【００４４】
【発明の効果】
本発明によれば、多様な組織の階層と、多様な側面の階層における環境情報を集計分析することのできるようになるという効果がある。
【００４５】
また、本発明によれば、一つの側面を異なる管理目的に対応した複数の側面に集計分析することができるようになるという効果がある。
【図面の簡単な説明】
【図１】本発明の一実施例の構成図。
【図２】本発明の一実施例におけるデータベースの構造図。
【図３】本発明の一実施例におけるテキストファイルの構造図。
【図４】本発明の一実施例における表示画面例を示す図。
【図５】本発明の一実施例における表示画面例を示す図。
【図６】本発明の一実施例におけるデータベースの構造図。
【図７】本発明の一実施例におけるテキストファイルの構造を示す図。
【図８】本発明の一実施例におけるデータベースの構造図。
【図９】本発明の一実施例における処理フロー図。
【図１０】本発明の一実施例における処理方法説明図。
【図１１】本発明の一実施例における表示画面例を示す図。
【図１２】本発明の一実施例における表示画面例を示す図。
【図１３】本発明の一実施例における表示画面例を示す図。
【符号の説明】
１０１…側面階層定義データベース、１０２…側面階層定義インタフェース、１０３…組織階層定義データベース、１０４…組織階層定義インタフェース、
１０５…側面データベース、１０６…集計処理部、１０７…側面階層データ表示インタフェース、１０８…組織階層データ表示インタフェース。
【図１】
2004062471.tif 000003
【図２】
2004062471.tif 000004
【図３】
2004062471.tif 000005
【図４】
2004062471.tif 000006
【図５】
2004062471.tif 000007
【図６】
2004062471.tif 000008
【図７】
2004062471.tif 000009
【図８】
2004062471.tif 000010
【図９】
2004062471.tif 000011
【図１０】
2004062471.tif 000012
【図１１】
2004062471.tif 000013
【図１２】
2004062471.tif 000014
【図１３】
2004062471.tif 000015